(57)【特許請求の範囲】
【請求項１】
地熱熱源水を減圧して水蒸気と熱水に分離する第１の減圧気液分離器と、
前記水蒸気によって駆動される蒸気タービンと、
前記地熱熱源水を熱源として媒体液を蒸発させて得られた媒体蒸気によって駆動される媒体タービンと、
前記蒸気タービンから排出された水蒸気の熱を媒体液に伝えて前記水蒸気が復水して前記媒体液が蒸発するように構成された復水・蒸発器と、
前記媒体タービンから排出された媒体を冷熱源として、前記復水・蒸発器に残っていた気体をさらに冷却することにより当該気体中に含まれていた不凝縮ガスを分離して排出するガスクーラーと、
前記蒸気タービンおよび前記媒体タービンによって駆動される少なくとも一つの発電機と、
を有することを特徴とするバイナリー発電システム。
【請求項２】
前記媒体タービンから排出された媒体蒸気を冷却して凝縮させて媒体液を生成する媒体凝縮器をさらに有し、
前記ガスクーラーは、前記媒体凝縮器で生成された媒体液を冷熱源とすること、
を特徴とする請求項１に記載のバイナリー発電システム。
【請求項３】
前記媒体タービンから排出された媒体蒸気を冷却するとともに媒体蒸気の冷却によって得られた熱を前記媒体凝縮器で生成された媒体液に伝える再生器をさらに有し、
前記ガスクーラーは、前記再生器で加熱された媒体液を冷熱源とすること、
を特徴とする請求項２に記載のバイナリー発電システム。
【請求項４】
前記地熱熱水からの熱を前記媒体蒸気に伝えて媒体過熱蒸気を生成して、その媒体過熱蒸気を前記媒体タービンに供給する媒体過熱器をさらに有すること、
を特徴とする請求項１に記載のバイナリー発電システム。
【請求項５】
前記媒体過熱器から排出された前記地熱熱水を減圧して水蒸気と熱水に分離する第２の減圧気液分離器と、
を有し、
前記第２の気液分離器で分離された水蒸気が前記蒸気タービンから排出された水蒸気とともに前記復水・蒸発器に導かれるように構成されていること、を特徴とする請求項４に記載のバイナリー発電システム。
【請求項６】
地熱熱源水を減圧して水蒸気と熱水に分離する第１の減圧気液分離器と、
前記水蒸気によって駆動される蒸気タービンと、
媒体液を一方の媒体液と他方の媒体液とに分岐させる分岐部と、
前記一方の媒体液を加圧して高圧の媒体液を生成する媒体加圧ポンプと、
前記地熱熱源水を熱源として前記高圧の媒体液を蒸発させて高圧媒体蒸気を生成する高圧蒸発器と、
前記高圧媒体蒸気によって駆動される高圧媒体タービンと、
前記高圧媒体タービンから排出された媒体蒸気と、これとは別に供給された前記他方の媒体液とを混合させるとともに、前記蒸気タービンから排出された水蒸気の熱を前記他方の媒体液に伝えて前記水蒸気が復水して、前記高圧媒体蒸気よりも低圧の低圧媒体蒸気が生成されるように構成された復水・蒸発器と、
前記低圧媒体蒸気によって駆動される低圧媒体タービンと、
前記低圧媒体タービンから排出された媒体蒸気を凝縮させて前記媒体液を生成する凝縮器と、
前記蒸気タービン、前記高圧媒体タービンおよび前記低圧媒体タービンによって駆動される少なくとも一つの発電機と、
を有することを特徴とするバイナリー発電システム。
【請求項７】
前記蒸気タービンから排出された地熱水蒸気を大気圧以下まで膨張させて冷却して凝縮させる復水器をさらに有することを特徴とする請求項６に記載のバイナリー発電システム。
【請求項８】
前記凝縮器から排出された媒体液を冷熱源として前記復水・蒸発器に残っていた気体をさらに冷却することにより、当該気体中に含まれていた不凝縮ガスを分離して排出するガスクーラーをさらに有すること、を特徴とする請求項６または請求項７に記載のバイナリー発電システム。
【請求項９】
前記凝縮器から排出された媒体液と前記復水・蒸発器から排出された復水とを熱交換させて前記復水から得られた熱によって前記媒体液を予熱する予熱器をさらに有し、
前記復水・蒸発器は、
前記予熱器で予熱された前記媒体液の一部を導入する上部媒体液導入部と、前記低圧媒体蒸気を排出する低圧媒体蒸気排出部とを備えた上部蒸発部と、
前記上部蒸発部の下方に配置され、前記高圧媒体タービンから排出された前記媒体蒸気を導入する高圧媒体タービン戻り配管接続部と、前記蒸気タービンから排出された水蒸気を導入する蒸気タービン戻り配管接続部と、前記蒸気タービン戻り配管接続部から導入された水蒸気またはその水蒸気から生じた復水が通る伝熱管と、前記伝熱管を通った復水および水蒸気を前記予熱器および前記ガスクーラーへ排出する復水・蒸気排出部と、前記予熱器で予熱された前記媒体液を導入する下部媒体液導入部と、を備えた下部蒸発部と、
前記上部蒸発器内の前記媒体蒸気と前記下部蒸発器内で前記伝熱管外側の前記媒体蒸気とを連通する媒体蒸気連通管と、
を有することを特徴とする請求項８に記載のバイナリー発電システム。
【請求項１０】
前記上部蒸発器胴の底部と前記下部蒸発器胴の底部近くとを連絡する媒体液下降管をさらに有することを特徴とする請求項９に記載のバイナリー発電システム。
【請求項１１】
前記低圧媒体タービンから排出された媒体蒸気を冷却するとともに前記凝縮器で生成された媒体液を加熱する再生器、をさらに有し、
前記再生器で加熱された媒体液を前記ガスクーラーの冷熱源とすることを特徴とする請求項９または請求項１０に記載のバイナリー発電システム。
【発明の詳細な説明】
【技術分野】
【０００１】
この発明の実施形態は、地熱を利用するバイナリー発電システムに関する。
【背景技術】
【０００２】
近年、地球温暖化現象の原因の一つとして、ＣＯ２による温室効果が指摘され、地球環境を守る上でその対策が急務となっている。ＣＯ２の発生源としては、化石燃料を燃焼させる人間の活動分野に及び、その排出抑制への要求が強まっている。これに伴い、大量の化石燃料を使用する火力発電所などはＣＯ２を排出するということで、新規設置が滞っている状況にある。
【０００３】
また、ＣＯ２を発生させない太陽光、太陽熱、風力、地熱、潮力等の再生エネルギーを用いた発電方式への需要が高まっている。その中でも１９５０年代から地熱蒸気、地熱水を用いた発電システムは商用化されている。化石燃料の低コスト化時代ではプラント建設費高の理由でしばらく下火になっていたが、近年またその需要が高まっている。一方、既設の地熱発電プラントの中には、地熱蒸気の熱エネルギーが徐々に衰退してきたため、地熱蒸気で蒸気タービンを駆動するフラッシュ型地熱発電システムから、熱水の熱源から有機作動媒体を蒸発させて発電するバイナリー型地熱発電システムへ移行するものもある。
【０００４】
このバイナリー型地熱発電システムでは、水よりも低沸点の媒体を作動媒体として使用する。低沸点媒体としては、たとえば、冷凍機の作動媒体として１９９０年まで利用されていたフロンがある。しかし既存のフロン物質はオゾン層を破壊するということ、それに代わる有力な低沸点媒体が見つからないこともあって、バイナリー型地熱発電システムの国内での実用化は滞っていた。
【０００５】
これに対して、可燃性であるが生産量の多いブタン（Ｃ４Ｈ１０）やペンタン（Ｃ５Ｈ１２）を作動媒体としたバイナリー型発電システムが商用化されている。
【０００６】
特許文献１に開示された技術は、地熱水の減圧気液分離器でフラッシュした蒸気と熱水を分離し、エンタルピーの低い熱水で作動媒体を予熱し、フラッシュ蒸気で作動媒体を蒸発させるものである。このシステムはフラッシュ蒸気の割合が少ない場合に有効である。
【０００７】
有機作動媒体蒸気は、タービンで膨張させると、過熱度が高くなっていき、凝縮器での凝縮温度よりも高い温度のガス（蒸気）を凝縮させることになる。そこで、特許文献２に開示された技術では、作動媒体タービンの途中段落に予熱器出口媒体液を注入することにより、過熱度の高いガスと飽和液とを混合させる。これにより、過熱度のエネルギーをタービンの駆動流量の増大に繋げるとともに、サイクル効率を向上させることができる。
【０００８】
特許文献３に開示された技術は、地熱水の減圧気液分離器からのフラッシュ蒸気で蒸気タービンを駆動し、その排蒸気で媒体を蒸発させ、減圧気液分離器から分離した熱水で蒸発した媒体を過熱するもので、変形例として次のことが提案されている。
【０００９】
（１）媒体タービン出口に再生器を設置する。
【００１０】
（２）媒体タービンを２段とし、過熱器出口の熱水で、媒体蒸気を再熱する。
【００１１】
特許文献４に開示された技術および特許文献５に開示された技術は、地熱水の減圧気液分離器からのフラッシュ蒸気の一部で蒸気タービンを駆動し、残りのフラッシュ蒸気で媒体を蒸発させ、蒸気タービンの排蒸気と減圧気液分離器からの熱水で媒体を予熱させるもので、媒体タービン出口に再生器がある。変形実施例としては、媒体タービンを２段とし、過熱器出口の熱水で、媒体蒸気を再熱するものが開示されている。
【００１２】
特許文献６に開示された技術では、システムとして地熱発電に限らず太陽熱や火力発電等の排熱も視野に入れており、高温用の媒体と低温用媒体の二種類を用いて、カスケードのランキンサイクルを構成しており、カスケード型の基本である。
【００１３】
また、特許文献７には、複数圧の蒸発器を有するものが開示されている。
【先行技術文献】
【特許文献】
【００１４】
【特許文献１】米国特許第５４００５９８号明細書
【特許文献２】米国特許第５５３１０７３号明細書
【特許文献３】米国特許第６００９７１１号明細書
【特許文献４】米国特許第７７７５０４５号明細書
【特許文献５】米国特許第７７９７９４０号明細書
【特許文献６】米国特許第７８２３３８６号明細書
【特許文献７】特開２００９−２２１９６１号公報
【発明の概要】
【発明が解決しようとする課題】
【００１５】
上述したように、地球温暖化の観点から地熱発電の需要が高まっている中、良質な地熱源のある地点、地熱源泉のエンタルピーが高く減圧（フラッシュ）した蒸気割合が多い地点は既に発電プラントが設置されている。また、既設の地熱発電プラントでは、その地点全体での熱源の減衰が報告されており、蒸気割合が減少し熱水割合が増加する傾向にある。このような状況下においては、蒸気タービンではなく有機媒体等の低沸点作動媒体を用いたバイナリー型地熱発電システムが有利となる。しかし、地熱源から蒸気が完全に枯れて熱水だけになることは少ないので、フラッシュ型とバイナリー型を合体させた発電システムが最も有利である。
【００１６】
上述したフラッシュ型地熱発電システムとバイナリー型地熱発電システムを合体させたシステムについては、地熱源泉を減圧（フラッシュ）した後に熱水だけをバイナリー発電に利用するものと、フラッシュした蒸気で駆動したタービン排気と熱水の両方をバイナリー発電に利用するものとがある。熱水の熱源だけでバイナリー発電するものは、バイナリー発電システムが小容量で出力割合が低くなり、バイナリー発電の発電単価が高くなる。
【００１７】
また、フラッシュ蒸気で駆動するタービンの背圧を大気圧以上とし、その１００℃以上の蒸気の潜熱で有機媒体等の作動媒体を蒸発させ、その媒体蒸気を、タービンの排蒸気よりも温度が高い減圧気液分離器出口の熱水で過熱し、媒体タービンを駆動し、媒体タービン出口の過熱蒸気と凝縮器からの媒体液と熱交換する再生器を有するシステムが考えられる。しかしそのようなシステムでは、もともとタービン出口で過熱度が高い媒体蒸気と凝縮液を熱交換させると再生器での媒体蒸気側の圧力損失が大きくなり、媒体タービンの出口圧力が上がり、あまり効果がない。また、蒸気タービン排ガスにはもともと不凝縮ガスが含まれているので、その不凝縮ガスを抽出・回収する必要がある。
【００１８】
本発明の実施形態は、上記事情に鑑みてなされたものであって、地熱フラッシュ蒸気サイクルと水以外の作動媒体サイクルとを複合させたバイナリー発電システムの高効率化を図ることを目的とする。
【課題を解決するための手段】
【００１９】
上記課題を解決するために、本発明の実施形態に係るバイナリー発電システムの一つの態様は、地熱熱源水を減圧して水蒸気と熱水に分離する第１の減圧気液分離器と、前記水蒸気によって駆動される蒸気タービンと、前記地熱熱源水を熱源として媒体液を蒸発させて得られた媒体蒸気によって駆動される媒体タービンと、前記蒸気タービンから排出された水蒸気の熱を媒体液に伝えて前記水蒸気が復水して前記媒体液が蒸発するように構成された復水・蒸発器と、前記媒体タービンから排出された媒体を冷熱源として、前記復水・蒸発器に残っていた気体をさらに冷却することにより当該気体中に含まれていた不凝縮ガスを分離して排出するガスクーラーと、前記蒸気タービンおよび前記媒体タービンによって駆動される少なくとも一つの発電機と、を有することを特徴とする。
【００２０】
また、本発明の実施形態に係るバイナリー発電システムの他の一つの態様は、地熱熱源水を減圧して水蒸気と熱水に分離する第１の減圧気液分離器と、前記水蒸気によって駆動される蒸気タービンと、媒体液を一方の媒体液と他方の媒体液とに分岐させる分岐部と、前記一方の媒体液を加圧して高圧の媒体液を生成する媒体加圧ポンプと、前記地熱熱源水を熱源として前記高圧の媒体液を蒸発させて高圧媒体蒸気を生成する高圧蒸発器と、前記高圧媒体蒸気によって駆動される高圧媒体タービンと、前記高圧媒体タービンから排出された媒体蒸気と、これとは別に供給された前記他方の媒体液とを混合させるとともに、前記蒸気タービンから排出された水蒸気の熱を前記他方の媒体液に伝えて前記水蒸気が復水して、前記高圧媒体蒸気よりも低圧の低圧媒体蒸気が生成されるように構成された復水・蒸発器と、前記低圧媒体蒸気によって駆動される低圧媒体タービンと、前記低圧媒体タービンから排出された媒体蒸気を凝縮させて前記媒体液を生成する凝縮器と、前記蒸気タービン、前記高圧媒体タービンおよび前記低圧媒体タービンによって駆動される少なくとも一つの発電機と、を有することを特徴とする。
【発明の効果】
【００２１】
本発明の実施形態によれば、地熱フラッシュ蒸気サイクルと水以外の作動媒体サイクルとを複合させたバイナリー発電システムの高効率化を図ることができる。
【図面の簡単な説明】
【００２２】
【図１】本発明に係るバイナリー発電システムの第１の実施形態の構成を示す系統図である。
【図２】本発明に係るバイナリー発電システムの第２の実施形態の構成を示す系統図である。
【図３】第２の実施形態における復水・蒸発器の具体的構成を示す縦断面図である。
【図４】本発明に係るバイナリー発電システムの第３の実施形態の構成を示す系統図である。
【発明を実施するための形態】
【００２３】
以下、図面を参照して、本発明の実施形態について説明する。ここで、互いに同一または類似の部分には共通の符号を付して、重複説明は省略する。
【００２４】
これらの実施形態は、供給された地熱熱源水の流れに沿う熱源水系統と、この熱源水系統から熱を受けて動作する媒体系統とを備えている。媒体系統で用いられる作動媒体としては、大気圧で水よりも沸点が低い有機媒体などの利用が可能である。
【００２５】
［第１の実施形態］
図１は、本発明に係るバイナリー発電システムの第１の実施形態の構成を示す系統図である。
【００２６】
＜熱源水系統＞
はじめに、供給された地熱熱源水の流れに沿って熱源水系統の構成を説明する。
【００２７】
地熱熱源水配管１１は第１の減圧気液分離器（フラッシャー）１２に接続されている。地熱熱源水配管１１を通して第１の減圧気液分離器１２に供給された地熱熱源水は、そこで減圧して高圧水蒸気と高圧熱水に分離される。ここで発生した水蒸気は水蒸気加減弁１３を介して蒸気タービン１４に送られる。蒸気タービン１４で仕事をした後の低圧蒸気は、蒸気タービン戻り配管１５を通じて排出される。
【００２８】
第１の減圧気液分離器１２で生成された高圧熱水は媒体過熱器１６に送られて、さらに、第２の減圧気液分離器１７に送られる。第２の減圧気液分離器１７は上流側の減圧弁１８とその下流側に接続された気液分離器１９とを備えている。第２の減圧気液分離器１７に送られた熱水はここで低圧水蒸気と低圧熱水とに分離される。
【００２９】
第２の減圧気液分離器１７で生成された低圧水蒸気は、蒸気タービン戻り配管１５に合流して、復水・蒸発器２０に送られる。復水・蒸発器２０に送られた低圧水蒸気は、ここで放熱して、９０％以上が凝縮して復水となる。復水・蒸発器２０で得られた復水は、復水配管５０を経由して予熱器２１へ送られて、ここでさらに放熱してさらに低温の水になる。
【００３０】
復水・蒸発器２０に送られる低圧水蒸気には不凝縮ガス成分が含まれている。復水・蒸発器２０に送られた低圧水蒸気のうちで凝縮せずに残ったガスは、ガスクーラー入口配管５１を経由してガスクーラー２２に送られる。ここでさらに冷却されて残ったガスが不凝縮ガスとして大気に排出される。第２の減圧気液分離器１７で得られた低圧熱水は復水配管５０に合流して予熱器２１へ送られる。
【００３１】
＜媒体系統＞
つぎに媒体系統について説明する。
【００３２】
媒体過熱器１６には媒体蒸気が供給され、第１の減圧気液分離器１２で生成された高圧熱水から熱を受けることにより、媒体過熱蒸気が生成される。この媒体過熱蒸気は、媒体蒸気加減弁３０を介して媒体タービン３１に供給される。媒体タービン３１で仕事をした後の低圧の媒体蒸気は、再生器３２で冷却され、さらに媒体凝縮器３３に送られて、そこで冷却されて凝縮する。媒体凝縮器３３は、冷水ポンプ３４を備えた冷水系３５によって冷却される。
【００３３】
媒体凝縮器３３で凝縮してできた媒体液は媒体ポンプ３６によって昇圧される。媒体ポンプ３６で昇圧された媒体液は、再生器３２で、媒体タービン３１から送られて媒体凝縮器３３で凝縮する前の媒体蒸気と熱交換して加熱された後に、ガスクーラー２２に送られる。ガスクーラー２２では、不凝縮ガスから作動媒体に熱が伝えられる。ガスクーラー２２で加熱された媒体液は予熱器２１に送られる。予熱器２１では、熱水から媒体液に熱が伝えられ、媒体液が予熱される。
【００３４】
予熱器２１で予熱された媒体液は、予熱器媒体液出口配管５３を経由して、復水・蒸発器２０に送られ、ここで、媒体液は、水蒸気が復水になる際に発生する潜熱によって加熱されて蒸発し媒体蒸気が生成される。この媒体蒸気は媒体過熱器１６に送られる。
【００３５】
蒸気タービン１４および媒体タービン３１には、それぞれ、発電機３７および発電機３８が同軸で結合されている。
【００３６】
本実施形態によれば、地熱熱源水に含まれる不凝縮ガス成分をガスクーラー２２から大気放出することができるので、復水・蒸発器２０で復水した水を円滑に予熱器２１に導くことができる。
【００３７】
また、ガスクーラー２２の冷熱源として、再生器３２を出た後の温度低い媒体液を用い、この冷熱で濃度の高い不凝縮ガスを排出することができ、かつ媒体液を加熱することで再生効果が生まれる。
【００３８】
このようにして、地熱フラッシュ蒸気サイクルと水以外の作動媒体サイクルとを複合させたバイナリー発電システムの高効率化を図ることができる。
【００３９】
［第２の実施形態］
図２は、本発明に係るバイナリー発電システムの第２の実施形態の構成を示す系統図である。図３は、第２の実施形態における復水・蒸発器の具体的構成を示す縦断面図である。
【００４０】
＜熱源水系統＞
地熱熱源水配管１１は第１の減圧気液分離器１２に接続されている。地熱熱源水配管１１を通して第１の減圧気液分離器１２に供給された地熱熱源水は、そこで減圧して高圧水蒸気と高圧熱水に分離される。ここで発生した水蒸気は水蒸気加減弁１３を介して蒸気タービン１４に送られる。蒸気タービン１４で仕事をした後の低圧蒸気は、蒸気タービン戻り配管１５を通じて排出される。
【００４１】
第１の減圧気液分離器１２で生成された高圧熱水は高圧蒸発器４１に送られて、そこで作動媒体と熱交換して冷却され、その後に高圧予熱器４２に送られて、そこで媒体液と熱交換してさらに冷却される。
【００４２】
蒸気タービン戻り配管１５を通じて蒸気タービン１４から排出された低圧水蒸気は、復水・蒸発器２０に送られる。復水・蒸発器２０に送られた低圧水蒸気は、ここで放熱して、９０％以上が凝縮して復水となる。復水・蒸発器２０で得られた復水は、復水配管５０を経由して予熱器２１へ送られて、ここでさらに放熱してさらに低温の水になる。
【００４３】
復水・蒸発器２０に送られる低圧水蒸気には不凝縮ガス成分が含まれている。復水・蒸発器２０に送られた低圧水蒸気のうちで凝縮せずに残ったガスは、ガスクーラー入口配管５１を経由してガスクーラー２２に送られる。ここでさらに冷却されて残ったガスが不凝縮ガスとして大気に排出される。
【００４４】
＜媒体系統＞
つぎに媒体系統について説明する。
【００４５】
高圧蒸発器４１には高温の媒体液が供給され、第１の減圧気液分離器１２で生成された高圧熱水から熱を受けることにより、高圧媒体蒸気が生成される。この高圧媒体蒸気は、高圧媒体蒸気加減弁３０ａを介して高圧媒体タービン３１ａに供給される。高圧媒体タービン３１ａで仕事をした後の低圧の媒体蒸気は、高圧媒体タービン戻り配管５２を経由して、復水・蒸発器２０に送られる。
【００４６】
予熱器２１には媒体液が供給されて、ここで媒体液が復水からの熱を受け取って予熱される。予熱器２１で予熱された媒体液は、予熱器媒体液出口配管５３を経由して、復水・蒸発器２０に送られる。復水・蒸発器２０では、供給された媒体液および媒体蒸気が復水からの熱を受け取って蒸発して低圧媒体蒸気が生成される。復水・蒸発器２０で生成された低圧媒体蒸気は、低圧媒体蒸気供給配管５４を経由して、低圧媒体蒸気加減弁３０ｂを介して低圧媒体タービン３１ｂに供給される。低圧媒体タービン３１ｂに供給される低圧媒体蒸気は、高圧媒体タービン３１ａに供給される高圧媒体蒸気よりも低圧である。
【００４７】
低圧媒体タービン３１ｂで仕事をした後の低圧の媒体蒸気は、再生器３２で冷却され、さらに媒体凝縮器３３に送られて、さらに冷却されて凝縮する。媒体凝縮器３３は、冷水ポンプ３４を備えた冷水系３５によって冷却される。
【００４８】
媒体凝縮器３３で凝縮した媒体は媒体ポンプ３６によって昇圧される。媒体ポンプ３６で昇圧された媒体液は、再生器３２で、低圧媒体タービン３１ｂから送られて媒体凝縮器３３で凝縮する前の媒体蒸気と熱交換して加熱された後に、分岐部４３を通って予熱器２１に送られる。
【００４９】
分岐部４３を通った媒体液の一部は予熱器２１へ行かずに媒体加圧ポンプ４４で加圧され、ガスクーラー２２へ送られる。ガスクーラー２２では、不凝縮ガスから媒体液に熱が伝えられる。ガスクーラー２２で加熱された媒体液は高圧予熱器４２に送られる。高圧予熱器４２では、熱水から媒体液に熱が伝えられ、媒体液は予熱されて高圧蒸発器４１へ送られる。
【００５０】
蒸気タービン１４、高圧媒体タービン３１ａ、低圧媒体タービン３１ｂには、それぞれ、発電機３７、発電機３８ａおよび発電機３８ｂが同軸で結合されている。
【００５１】
＜復水・蒸発器＞
ここで、図３を参照して、復水・蒸発器２０の構成を説明する。
【００５２】
復水・蒸発器２０は、上部蒸発器６０と、この上部蒸発器６０の下方に配置された下部蒸発器６１とを備えている。さらに復水・蒸発器２０は、上部蒸発器６０と下部蒸発器６１とを接続する媒体蒸気連通管６２および媒体液下降管７２を有する。
【００５３】
上部蒸発器６０は、水平方向に延びる筒状の上部蒸発器胴６３を有し、上部蒸発器胴６３の頂部には、低圧媒体蒸気排出部６４が設けられていて、低圧媒体蒸気排出部６４には、低圧媒体蒸気供給配管５４が接続されている。また、上部蒸発器胴６３の上部には、予熱器媒体液出口配管５３（図２）から分岐した上部媒体液導入部６５が接続されて、上部蒸発器胴６３内上部に挿入されて設けられている。上部媒体液導入部６５は上部蒸発器胴６３内で水平方向に延び、水平方向に分散して多数のノズル７５が設けられている。
【００５４】
上部蒸発器胴６３内には、水平方向に広がる複数の多孔板６６が、互いに上下方向に間隔をあけて平行に配置されている。
【００５５】
下部蒸発器６１は、上部蒸発器胴６３と平行に水平方向に延びる筒状の下部蒸発器胴６７を有する。下部蒸発器胴６７の底部には、予熱器媒体液出口配管５３（図２）から分岐した下部媒体液導入部６８が接続されている。下部蒸発器胴６７の上部には、高圧媒体タービン戻り配管５２が接続されている。
【００５６】
下部蒸発器胴６７内には、互いに平行な多数の伝熱管６９が設置されている。伝熱管６９は、水平方向に直線的に延びる直管部と上下方向に曲がった曲管部とを有するＵ字管である。伝熱管６９の入口側の下部蒸発器胴６７には、蒸気タービン戻り配管１５（図２）に接続された蒸気タービン戻り配管接続部７０が形成されている。伝熱管６９の出口側の下部蒸発器胴６７には、復水配管５０およびガスクーラー入口配管５１（図２）に接続された復水・蒸気排出部７１が形成されている。蒸気タービン戻り配管接続部７０は復水・蒸気排出部７１よりも上方に位置している。
【００５７】
媒体蒸気連通管６２は上部蒸発器胴６３と下部蒸発器胴６７とを連通するべく上下に延びており、媒体蒸気連通管６２の上端は上部蒸発器胴６３の底部から上方に少し突出して開口している。媒体蒸気連通管６２の下端は下部蒸発器胴６７の頂部で開口している。
【００５８】
媒体液下降管７２の上端は上部蒸発器胴６３の底部に開口している。媒体液下降管７２の下部は下部蒸発器胴６７の上部を貫通して、その下端は下部蒸発器胴６７内の底部近くで開口している。
【００５９】
つぎに復水・蒸発器２０の作用について説明する。
【００６０】
予熱器媒体液出口配管５３（図２）からの媒体液の一部は、上部媒体液導入部６５のノズル７５を通して、上部蒸発器胴６３内上部で散布される。この媒体液は、下降して多孔板６６に当たり、そこを下方に通過し、上部蒸発器胴６３内の下部に溜まり、上部蒸発器胴内媒体液面８０が形成される。上部蒸発器胴内媒体液面８０は、最も低い位置にある多孔板６６よりも低い位置にあるように制御される。さらに、上部蒸発器胴６３内の媒体液は、媒体液下降管７２を通じて下部蒸発器胴６７内に導入される。
【００６１】
予熱器媒体液出口配管５３からの媒体液の一部は、下部媒体液導入部６８を通して下部蒸発器胴６７内に底部から導入される。
【００６２】
下部蒸発器胴６７内の媒体液は、下部蒸発器胴内媒体液面８１を形成する。下部蒸発器胴内媒体液面８１は、伝熱管６９の最上部よりも高い位置で、しかも、高圧媒体タービン戻り配管５２が下部蒸発器胴６７に接続される部分よりも低い位置になるように制御される。
【００６３】
高圧媒体タービン戻り配管５２を通じて、下部蒸発器胴６７の上部に高圧媒体タービン３１ａ（図２）から排出された、過熱度の高い媒体ガスが導入される。
【００６４】
蒸気タービン戻り配管１５（図２）から蒸気タービン戻り配管接続部７０を通じて、伝熱管６９内に、蒸気タービンから排出された蒸気が導入される。ただし、この蒸気には不凝縮ガスが含まれている。伝熱管６９内の蒸気は伝熱管６９の外側の媒体液によって冷却されて大部分が凝縮し、気液二相流として、復水・蒸気排出部７１から排出され、復水配管５０およびガスクーラー入口配管５１に送られる。図２では復水配管５０およびガスクーラー入口配管５１が復水・蒸発器２０から別々に出ているように示されているが、これらの配管は、図３に示すように、復水・蒸発器２０を出るときは１箇所の復水・蒸気排出部７１として、下流側で分岐してもよい。
【００６５】
下部蒸発器胴６７内で、伝熱管６９の外側の媒体液は伝熱管６９に接する部分から加熱されて蒸発し、気泡となって下部蒸発器胴内媒体液面８１の上方に上昇する。ここで、高圧媒体タービン戻り配管５２を通じて導入された媒体蒸気と合流し、媒体蒸気連通管６２内を上向きに通って上部蒸発器胴６３内に流入する。
【００６６】
上部蒸発器胴６３内では、上昇する媒体蒸気と下降する媒体液とが直接接触して混ざりながら熱交換が行なわれる。最終的に、飽和温度に近い媒体蒸気が、低圧媒体蒸気排出部６４を通じて低圧媒体蒸気供給配管５４に送り出される。
【００６７】
この実施形態によれば、地熱フラッシュ蒸気サイクルと作動媒体サイクルとを複合させたバイナリー発電システムの高効率化を図ることができる。
【００６８】
また、ガスクーラー２２の冷熱源として、再生器３２を出た後の温度低い媒体液を用い、この冷熱で濃度の高い不凝縮ガスを排出することができ、かつ媒体液を加熱することで再生効果が生まれる。
【００６９】
特に、温度の高い第１の減圧気液分離器１２からの熱水を用いて、より高圧の作動媒体を蒸発させ、２圧力の媒体ガスでタービンを駆動させることで、出口過熱度を高めることなく、発電出力を増加させることができる。すなわち、地熱蒸気・熱水の温度レベルを活かして、媒体タービン出口ガスの過熱度を下げることができる。
【００７０】
［第３の実施形態］
図４は、本発明に係るバイナリー発電システムの第３の実施形態の構成を示す系統図である。
【００７１】
この実施形態は第２の実施形態の一部を変更したものである。したがって、ここでは第２の実施形態との相違部分を中心に説明する。
【００７２】
この実施形態では、蒸気タービン１４で、途中段からの抽気が行なわれる。この抽気蒸気は、蒸気タービン戻り配管１５を通じて復水・蒸発器２０に送られる。
【００７３】
蒸気タービン１４の最下段から排出される水蒸気は、蒸気タービン排出配管９０を通して復水器９１へ送られる。復水器９１には、冷水ポンプ９２を備えた冷水系９３が接続されている。冷水系９３によって復水器９１内の水蒸気は冷却され、復水となる。復水器９１内の圧力は大気圧以下であることが好ましい。
【００７４】
以上説明したように、この実施形態では、蒸気タービン戻り配管１５を通じて復水・蒸発器２０に送られる水蒸気が抽気蒸気であるという点と、蒸気タービン１４の最下段から排出される水蒸気を復水器９１へ送るという点で第２の実施形態と異なるが、その他の構成および作用は第２の実施形態と同様である。
【００７５】
この第３の実施形態の作用効果は、基本的には第２の実施形態と同様であるが、フラッシュ蒸気量が多い場合、つまり蒸気タービン１４の排気水蒸気の体積流量が大きい場合に有利である。
【００７６】
［他の実施形態］
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００７７】
たとえば、上記実施形態ではタービンごとに別個の発電機を取り付けるものとしているが、各タービンの軸を互いに結合したり、また、変速ギアを介して連結することにより、複数のタービンに共通の発電機を取り付けることもできる。
【００７８】
また、上記の第２の実施形態で、上部蒸発器胴６３に配置される多孔板６６に代えて、水平に広がる多孔トレイを配置してもよい。
【符号の説明】
【００７９】
１１…地熱熱源水配管、１２…第１の減圧気液分離器、１３…水蒸気加減弁、１４…蒸気タービン、１５…蒸気タービン戻り配管、１６…媒体過熱器、１７…第２の減圧気液分離器、１８…減圧弁、１９…気液分離器、２０…復水・蒸発器、２１…予熱器、２２…ガスクーラー、３０…媒体蒸気加減弁、３０ａ…高圧媒体蒸気加減弁、３０ｂ…低圧媒体蒸気加減弁、３１…媒体タービン、３１ａ…高圧媒体タービン、３１ｂ…低圧媒体タービン、３２…再生器、３３…媒体凝縮器、３４…冷水ポンプ、３５…冷水系、３６…媒体ポンプ、３７…発電機、３８…発電機、３８ａ…発電機、３８ｂ…発電機、４１…高圧蒸発器、４２…高圧予熱器、４３…分岐部、４４…媒体加圧ポンプ、５０…復水配管、５１…ガスクーラー入口配管、５２…高圧媒体タービン戻り配管、５３…予熱器媒体液出口配管、５４…低圧媒体蒸気供給配管、６０…上部蒸発器、６１…下部蒸発器、６２…媒体蒸気連通管、６３…上部蒸発器胴、６４…低圧媒体蒸気排出部、６５…上部媒体液導入部、６６…多孔板、６７…下部蒸発器胴、６８…下部媒体液導入部、６９…伝熱管、７０…蒸気タービン戻り配管接続部、７１…復水・蒸気排出部、７２…媒体液下降管、７５…ノズル、８０…上部蒸発器胴内媒体液面、８１…下部蒸発器胴内媒体液面、９０…蒸気タービン排出配管、９１…復水器、９２…冷水ポンプ、９３…冷水系
【図１】
0005763495.tif 000002
【図２】
0005763495.tif 000003
【図３】
0005763495.tif 000004
【図４】
0005763495.tif 000005